(57)【要約】【課題】表示部の構成を簡易化し、警報時において検知状況が直ぐに把握しやすく、視認性を向上させるとともに、防犯受信機の警報音を停止させたり、防犯システムの復旧操作をする際に、違法侵入者に、監視されているという威圧感を与えて、犯罪行為を抑止させるようにした防犯受信機、及びこれを用いた防犯システムを提供する。【解決手段】監視エリアに設置された防犯センサ４０からの異常信号を受信して、異常を生じた監視エリアを表示操作部に表示して、警報音を出力する防犯受信機Ｓにおいて、表示操作部は、異常を生じた監視エリア及び／又は防犯センサ４０の種別に対応した表示をなす表示部１２を備えており、表示部１２は、外光を反射する鏡面をなし、鏡面に、監視エリア及び／又は防犯センサの種別に対応したシンボル１２ｃを浮き上がらせて表示させる構成にしている。【選択図】図１
2007233569.tif 000002
【特許請求の範囲】
【請求項１】
監視エリアに設置された防犯センサからの異常信号を受信して、異常を生じた監視エリアを表示操作部に表示して、警報音を出力する防犯受信機において、
上記表示操作部は、異常を生じた監視エリア及び／又は防犯センサの種別に対応した表示をなす表示部を備えており、
上記表示部は、外光を反射する鏡面をなし、該鏡面に、上記監視エリア及び／又は防犯センサの種別に対応したシンボルを浮き上がらせて表示させる構成にしていることを特徴とする防犯受信機。
【請求項２】
請求項１において、
上記表示部は、ハーフミラー板の下方に、上記監視エリア及び／又は防犯センサの種別に対応したシンボルを透光部として形成した表示プレートを設け、更にその下方に照明手段を設けて構成していることを特徴とする防犯受信機。
【請求項３】
請求項１または２において、
上記表示操作部は、そこから警報音を出力する鳴動部を設けており、
該鳴動部も外光を反射する鏡面に構成していることを特徴とする防犯受信機。
【請求項４】
請求項１〜３のいずれかに記載の防犯受信機を備えたことを特徴とする防犯システム。
【発明の詳細な説明】
【技術分野】
【０００１】
本発明は、監視エリアに設けられた防犯センサからの異常信号を受信する防犯受信機及びこれを用いた防犯システムに関し、詳しくは、異常が生じた監視エリア等を表示操作部に表示して、警報音を出力する防犯受信機及びこれを用いた防犯システムの改良に関する。
【背景技術】
【０００２】
従来、住居やオフィス、集合住宅、ビルなどの建物内において、監視エリアに設置された防犯センサからの異常信号を受信して、警報音を出力するとともに、表示部に防犯センサの属する監視エリアを特定するための表示灯を点灯させる構成の防犯受信機が提案されている。
【０００３】
例えば、特開２００５−３３８９２０号公報（特許文献１）では、図６に示すように、ワイヤレス防犯受信機１は、ワイヤレス防犯センサ２から感知信号を受けたときには、それぞれの監視エリア毎に設けた表示窓Ｗを点灯することにより、防犯センサの属する監視エリアが特定できる構成となっている。
【０００４】
しかしながら、前記のような防犯受信機の場合、監視エリアを特定するための表示窓が、防犯受信機の表示部に露出しており、どの表示窓が点灯しているのかを異常時、例えば、火災等の緊急時においては素早く視認することが困難となるおそれがあった。
【０００５】
特に、集合住宅や大規模なビル等では、表示窓の数が極めて多く必要となり、異常発生時に数多くの表示窓の中で、どの表示窓が点灯しているのかを即座に視認することが困難となるおそれがあった。
【０００６】
また、このような防犯システムでは、いずれかの監視エリアの防犯センサが異常を検知した後は、防犯受信機の表示部には、その監視エリアに対応して設けた表示灯やシンボルを表示し、警報音を鳴動させる構成になっており、警報音を停止するためには、防犯受信機側に設けたリセット釦や復旧釦を操作する必要があるが、住宅やビルに一旦侵入した泥棒や賊も、住宅やビルの住居人と同じように操作すれば、警報音の鳴動を停止し、防犯システムを待機時の状態に復帰させることができるようになっており、それに対する対策はなされていない。
【特許文献１】特開２００５−３３８９２０号公報
【発明の開示】
【発明が解決しようとする課題】
【０００７】
本発明は、前記問題を解決するために提案されたもので、第１の目的は、表示部の構成を簡易化し、警報時において検知状況が直ぐに把握しやすく、視認性を向上させる防犯受信機、及びこれを用いた防犯システムを提供することにあり、更に、第２の目的は、防犯受信機の警報音を停止させたり、防犯システムの復旧操作をする際に、違法侵入者に、監視されているという威圧感を与えて、犯罪行為を抑止させるようにした防犯受信機、及びこれを用いた防犯システムを提供することにある。
【課題を解決するための手段】
【０００８】
前記目的を達成するために、請求項１に記載の防犯受信機は、監視エリアに設置された防犯センサからの異常信号を受信して、異常を生じた監視エリアを表示操作部に表示して、警報音を出力する防犯受信機において、上記表示操作部は、異常を生じた監視エリア及び／又は防犯センサの種別に対応した表示をなす表示部を備えており、上記表示部は、外光を反射する鏡面をなし、該鏡面に、上記監視エリア及び／又は防犯センサの種別に対応したシンボルを浮き上がらせて表示させる構成にしていることを特徴とする。
【０００９】
請求項２では、上記表示部は、ハーフミラー板の下方に、上記監視エリア及び／又は防犯センサの種別に対応したシンボルを透光部として形成した表示プレートを設け、更にその下方に照明手段を設けて構成していることを特徴とする。
【００１０】
請求項３では、上記表示操作部は、そこから警報音を出力する鳴動部を設けており、該鳴動部も外光を反射する鏡面に構成していることを特徴とする。
【００１１】
請求項４に記載の防犯システムでは、請求項１〜３のいずれかに記載の防犯受信機を備えたことを特徴とする。
【発明の効果】
【００１２】
請求項１乃至３に記載の防犯受信機によれば、表示部は、外光を反射する鏡面をなし、鏡面に、監視エリア及び／又は防犯センサの種別に対応したシンボルを浮き上がらせて表示させる構成としていることにより、表示部には、異常発生時に監視エリア及び／又は防犯センサを特定するためのシンボルのみが浮かび上がるため、視認性を向上させることができる。
【００１３】
また、表示部の構成が、異常発生時以外の場合においては、監視エリア及び／又は防犯センサの種別に対応したシンボルは表示されず鏡面をなしていることにより、従来のように表示灯が露出しておらず、略平面形状で表示部の構成が簡易なものとなる。
【００１４】
さらに、表示部は、外光を反射する鏡面をなしていることにより、侵入者が防犯受信機に近づいて警報動作を停止させる操作をなす際に、表示部に侵入者の顔や姿が鏡面に映し出されるため、監視されているという威圧感を与えて、それ以降の犯罪行為を抑止する効果が期待できる。
【００１５】
請求項２では、表示部は、ハーフミラー板の下方に、監視エリア及び／又は防犯センサの種別に対応したシンボルを透光部として形成した表示プレートを設け、更にその下方に照明手段を設けて構成していることにより、異常発生時に監視エリア及び／又は防犯センサを特定するために点灯するシンボルのみ、すなわち、照明手段で照射したシンボルのみが現れるため、視認性を向上させることができる。
【００１６】
請求項３では、表示操作部は、そこから警報音を出力する鳴動部を設けており、鳴動部も外光を反射する鏡面に構成していることにより、表示操作部において鏡面となる面積が大きくなるため、更なる犯罪抑止効果が期待できる。
【００１７】
請求項４に記載の防犯システムによれば、請求項１〜３のいずれかに記載の防犯受信機を備えることにより、上述のような優れた効果を有する防犯システムを提供することができる。
【発明を実施するための最良の形態】
【００１８】
以下に、本発明の実施の形態について、図面を参照しながら説明する。
【実施例１】
【００１９】
図１乃至図３は、本実施例に係る防犯受信機を示し、図１は防犯受信機の要部をなす表示部の構成を示し、図２は防犯受信機の表示操作部の外観構成を示し、図３は防犯受信機の一構成例を示す分解斜視図である。
【００２０】
本実施例に係る防犯受信機Ｓは、図３に示すように、表示部１２を構成するパネルＰと、パネルＰを配設して表示操作部を構成する上ケース１０と、表示部１２を構成する照明手段１２ｅや各種回路などが配設される基板１１と、上ケース１０と嵌合され基盤１１を収容する下ケース１４と、ワイヤレス信号を送受するアンテナ１５とで構成されている。
【００２１】
上ケース１０には、各照明手段１２ｅに対応する位置に開口１０ｂが穿設され、操作部１３を構成する各操作釦１３ａ〜ｄに対応する位置に開口１０ｃ〜ｆが穿設されている。
下ケース１４には、非常用電源としてバッテリー５０を収容するスペースを設け、電池蓋１４ａによりバッテリー５０を閉塞する構成となっている。
また、防犯受信機Ｓを壁面に取り付ける場合には、壁面取付金具６０を取り付けて壁面に取り付け、卓上に置く場合には、卓上スタンド脚７０を取り付けて、卓上に置く構成となる。
【００２２】
本実施例に係る防犯受信機Ｓの要部をなす表示部１２は、図１に示すように、ハーフミラー板１２Ａと表示プレート１２Ｂからなり、外光を反射する鏡面をなすパネルＰと、更にその下方に照明手段１２ｅを設けて、監視エリア及び／又は防犯センサ４０の種別に対応したシンボル１２ｃ（ピクトグラム）を浮き上がらせて表示させる構成にしている。
【００２３】
照明手段１２ｅは、図１（ｂ）に示すように、基板１１上に各シンボル１２ｃに対応する位置に配設されており、例えば、ＬＥＤなどから構成される。
表示部１２は、ハーフミラー板１２Ａの下方に、表示プレート１２Ｂを設け、更に、その下方に照明手段１２ｅを設けている。
ハーフミラー板１２Ａは、アクリル層１２ａの下方に蒸着あるいは印刷などにより形成された鏡面層１２ｂを設けて構成されており、表示プレート１２Ｂは、非透光性の印刷層１２ｄを形成した基板に、透光部となるシンボル１２ｃを形成して構成されている。
【００２４】
鏡面層１２ｂは、下方からの光、すなわち、照明手段１２ｅによる照射光を透過させるハーフミラーとなっており、これにより、異常発生時に監視エリア及び／又は防犯センサの種別に対応したシンボル１２ｃを浮き上がらせる構成となっている。
尚、鏡面層１２ｂをハーフミラーではなく、下方からの光を透過させない鏡面層で構成し、該鏡面層のシンボル１２ｃに対応する部分を印刷層１２ｂと同様に透光部として形成し、下方に設けた照明手段１２ｅからの照射光により、シンボル１２ｃを浮き上がらせて表示させる構成としてもよい。
また、表示部１２に液晶パネルを使用し、異常発生時以外は鏡面とし、異常発生時に鏡面よりシンボル１２ｃを浮き上がらせ表示できる構成にしてもよい。
【００２５】
図１（ａ）では、本実施例の理解を容易とするために、全ての照明手段１２ｅを点灯させた状態を示しており、各シンボル１２ｃの絵柄は、比較的小規模の一般住戸に設置される防犯受信機Ｓの表示部１２を例示し、防犯センサ４０毎にシンボル１２ｃを形成しているが、これに限られるものではなく、集合住宅やビル等の場合は、例えば、シンボル１２ｃの絵柄を監視エリア毎の住戸１、２・・・や、オフィス１、２・・・などのみとしてもよいし、それらに対応する各防犯センサ４０を併せて形成してもよい。
また、照明手段１２ｅによる照射は、点灯ではなく点滅させる構成としてもよい。
【００２６】
本実施例に係る防犯受信機Ｓの表示操作部は、図２に示すように、表示部１２と、操作部１３を構成する各操作釦１３ａ〜ｄと、鳴動部１０ａとで構成されている。
【００２７】
防犯受信機Ｓが待機時の場合は図２（ａ）に示すように、表示部１２には、シンボル１２ｃは表示されず、防犯受信機Ｓが警報発生時の場合は図２（ｂ）に示すようにシンボル１２ｃが照明手段１２ｅにより照射され、異常を生じた監視エリア及び／又は防犯センサ４０の種別が視認可能となる（図２（ｂ）では窓１に異常が発生している場合を例示している。）。
【００２８】
上記構成によれば、表示部１２を構成するパネルＰには、異常発生時に監視エリア及び／又は防犯センサ４０の種別を特定するため、シンボル１２ｃのみ、すなわち、照明手段１２ｅで照射したシンボル１２ｃのみが点灯されて浮かび上がるため、視認性を向上させることができる。
【００２９】
また、表示部１２が鏡面をなすパネルＰで構成されていることにより、侵入者が防犯受信機Ｓの警報動作を停止させるため、表示部１２に近づいた際に、侵入者の顔がパネルＰに映し出されるため、監視されているという威圧感を与えて、それ以降の犯罪行為を抑止する効果が期待できる。
【００３０】
尚、鳴動部１０ａも外光を反射する鏡面に構成してもよい。
これにより、表示操作部においてミラーとなる面積が大きくなるため、更なる犯罪抑止効果が期待できる。
【００３１】
次に、本実施例に係る防犯受信機Ｓと監視対象となる防犯センサ４０とをワイヤレス接続して構成された防犯システムのシステム構成を図４に基づき説明する。
【００３２】
本発明の防犯システムは、図４に示すように、防犯受信機Ｓと、適所に設置された複数の防犯センサ４０と、ユーザが遠隔から防犯受信機Ｓの各モード（警戒モード、報知モード、非警戒モード）の設定、解除を行うためのワイヤレスリモコン発信器３０から構成される。
各防犯センサ４０は、異常を感知すると、感知信号をワイヤレス送信し防犯受信機Ｓに伝えるとともに、異常の種別（火災センサ、ガスセンサ、窓センサ、玄関センサ、非常センサなど）及び各モードに対応した鳴動音、すなわち、警戒モードの場合は警報音、報知モードの場合は報知音を出力する。
【００３３】
防犯受信機Ｓの内部構成の一例は、図４に示すように、防犯受信機Ｓの各種動作を制御する制御部２０と、防犯センサ４０からの感知信号などを受信するとともにワイヤレスリモコン発信器３０からの信号を受信するアンテナ１５及びワイヤレス送受信部１７と、異常の種別や各モードに対応した鳴動音及び後述する音声メッセージを記憶し、鳴動部１０ａより出力させる音声合成部１６と、各モードの切替を行う各操作釦１３ａ〜ｄから構成される操作部１３と、監視エリア及び／又は防犯センサ４０の種別に応じてシンボル１２ｃを照射する照明手段１２ｅを制御する警報表示部１８と、ＡＣ１００Ｖ電源により駆動電源を生成する電源部１９で構成されている。
【００３４】
本実施例では、表示部１２に異常を生じた監視エリア及び／又は防犯センサ４０の種別が表示されたときに、確認釦１３ｄを操作したときには、異常を生じている監視エリア及び防犯センサ４０についての詳細情報を音声メッセージで通知する制御手段を備える構成としており、該制御手段は、制御部２０と、音声合成部１６と、必要なプログラムとを組み合わせた構成としている。
また、音声メッセージとは、予め音声合成部１６に記憶されており、異常を生じた監視エリア及び防犯センサ４０の種別、例えば、火災センサ、ガスセンサ、窓センサなどの細かい情報や、その防犯センサの種別に応じた、避難方法や対処方法などを含んでいる。
【００３５】
制御部２０は、ソフトウェア処理によって、判別制御手段２０ａ、モード切替手段２０ｂ、鳴動音切替手段２０ｃ、通信制御手段２０ｄ、ＩＤ照合手段２０ｅとしての機能を少なくとも備えている。
尚、制御部２０を、同等の機能を発揮する専用ＬＳＩで構成してもよい。
【００３６】
判別制御手段２０ａは、各操作釦１３ａ〜ｄの押下、ワイヤレス送受信部１７が受信した感知信号及びワイヤレスリモコン発信器３０からの信号に基づいて、信号の判別を行い、その信号に応じてモード切替手段２０ｂ、鳴動音切替手段２０ｃ、通信制御手段２０ｄ、ＩＤ照合手段２０ｅを制御する。
【００３７】
モード切替手段２０ｂは、警戒モード、報知モード、非警戒モードの各モードを切り替える手段であり、各モードは、ユーザが操作部１３を構成する各操作釦１３ａ〜ｄを押下することにより、あるいは、ワイヤレスリモコン発信器３０からの信号を受信して設定される。
【００３８】
鳴動音切替手段２０ｃは、モード切替手段２０ｂで設定されたモードを判定し、そのモードに応じた鳴動音の信号、あるいは、確認釦１３ｄが押下された場合には音声メッセージを鳴動させる信号を音声合成部１６に送信する。
【００３９】
通信制御手段２０ｄは、予め登録されている通信先を異常の種別に応じて選定し、外部ネットワーク（不図示）に接続されたインターフェース（不図示）を通じて、異常メッセージの送信を行う。
【００４０】
ＩＤ照合手段２０ｅは、防犯センサ４０毎に予め付与されている識別番号（ＩＤ）に基づいて、防犯センサ４０から受信した感知信号に含まれるＩＤを、ＩＤ記憶手段（不図示）に記憶されているＩＤと照合を行い、監視エリア及び防犯センサ４０を特定する。
【００４１】
上記のように構成された防犯受信機Ｓの基本動作を図５に示すフローチャートに基づいて説明する。
尚、警戒モードと報知モードの基本動作に差異はないため、以下、非警戒モードと警戒モードの基本動作について説明する。
【００４２】
各操作釦１３ａ〜ｄが押下されるまでは、非警戒モードとなっており、警戒釦１３ａが押下されると、警戒釦１３ａに内蔵されるＬＥＤ（不図示）が点灯し、警戒モードに切り替わる（Ｓ１００〜Ｓ１０４）。
【００４３】
警戒モード中に、防犯センサ４０から感知信号を受信するまでは警戒モードを維持する一方（Ｓ１０４、Ｓ１０５）、感知信号を受信するとＩＤ照合手段２０ｅにおいて、登録ＩＤの有無を判別し、監視エリアの中の異常が発生した発生エリア及び防犯センサ４０を特定する（Ｓ１０５〜Ｓ１０７）。
上記特定に基づいて、監視エリア及び／又は防犯センサ４０に対応するシンボル１２ｃの照明手段１２ｅが点灯（あるいは点滅でもよい。）するとともに、警戒釦１３ａのＬＥＤが点滅し、警報音が鳴動する（Ｓ１０８）。
例えば、警報音は、「ピーポーピーポー異常発生（繰り返し）」などとしてもよい。
尚、報知モードの場合は、警報音ではなく報知音が鳴動する（以下、同じ。）。
【００４４】
次いで、操作釦が押下されるまでは、予め設定された時間制限に基づき警報音の鳴動を続け、時間制限を超えると警報音の鳴動を停止する（Ｓ１０９、Ｓ１１１、Ｓ１１５）。
操作釦が押下され、押下された釦が解除釦１３ｃであれば警報音の鳴動が停止する（Ｓ１０９〜Ｓ１１１）。
警報音の鳴動停止後、再度、解除釦１３ｃが押下されると、シンボル１２ｃの照明手段１２ｅが消灯するとともに、警戒釦１３ａのＬＥＤが消灯し、非警戒モードとなる（Ｓ１１６〜Ｓ１１８、Ｓ１００）。
【００４５】
警報音の鳴動停止後、確認釦１３ｄが押下されると監視エリアの中の異常が発生した発生エリア及び防犯センサ４０の詳細情報、例えば、火災センサ、ガスセンサ、窓センサなどの細かい情報や、その防犯センサの種別に応じた、避難方法や対処方法の音声メッセージを鳴動部１０ａより出力する（Ｓ１１２〜Ｓ１１４）。
例えば、音声メッセージは、「応接室の窓１に異常がありました。確認してください。」などとしてもよい。
【００４６】
上記のような動作により、異常を生じている監視エリア及び／又は防犯センサ４０をシンボル１２ｃで視認出来るとともに、あるいは、何らかのトラブルよりシンボル１２ｃを視認することが出来ない場合においても、音声メッセージにより異常を生じている監視エリア及び／又は防犯センサ４０の種別を素早く確認できるとともに異常発生時に迅速な行動を促すことが出来る。
【００４７】
尚、本実施例では、防犯受信機Ｓと監視対象となる防犯センサ４０とをワイヤレス接続して構成された防犯システムを例示しているが、防犯受信機Ｓと監視対象となる防犯センサ４０とを信号線で接続して有線式防犯システムを構成することも可能である。
【００４８】
また、集合住宅やビル等において監視エリアが多数あり、それに伴い防犯センサ４０が多数設置される場合は、それに対応するシンボル１２ｃが多数必要となるが、監視エリア毎や必要な防犯センサ４０のみに対応したシンボル１２ｃを設ける構成とし、それ以外の詳細な情報に関しては、音声メッセージで通知することにより、シンボル１２ｃの数を少なくして、照明手段１２ｅの数も少なくする構成としてもよい。
【００４９】
さらに、本実施例では、本発明の特徴的構成の理解を容易とするために、単純な構成の防犯受信機Ｓを例示しているが、これに限られるものではなく、例えば、監視エリア毎に防犯センサをグループ分けし、監視エリア毎に各モードを設定できる防犯システムにも適用可能である。
【図面の簡単な説明】
【００５０】
【図１】本発明の防犯受信機の要部をなす表示部の構成を示しており、（ａ）は表示部の一例を示す図、（ｂ）は表示部の概略要部断面図である。
【図２】防犯受信機の表示操作部の外観構成を示しており、（ａ）は待機時の状態、（ｂ）は警報発生時の状態を示す説明図である。
【図３】本発明の防犯受信機の一構成例を示す分解斜視図である。
【図４】本発明の防犯システムをワイヤレス型防犯システムに適用した場合のシステム構成図である。
【図５】本発明の防犯受信機の基本動作を示すフローチャートである。
【図６】従来例を示す図である。
【符号の説明】
【００５１】
１０      上ケース
１０ａ      鳴動部
１１      基板
１２      表示部
１２Ａ      ハーフミラー板
１２Ｂ      表示プレート
１２ａ      アクリル層
１２ｂ      鏡面層
１２ｃ      シンボル（透光部）
１２ｄ      印刷層
１２ｅ      照明手段
１３      操作部
１４      下ケース
１４ａ      電池蓋
１５      アンテナ
１６      音声合成部
１７      ワイヤレス送受信部
１８      警報表示部
１９      電源部
２０      制御部
３０      ワイヤレスリモコン発信器
４０      防犯センサ
５０      バッテリー
６０      壁面取付金具
７０      卓上スタンド脚
Ｐ      パネル
Ｓ      防犯受信機
【図１】
2007233569.tif 000003
【図２】
2007233569.tif 000004
【図３】
2007233569.tif 000005
【図４】
2007233569.tif 000006
【図５】
2007233569.tif 000007
【図６】
2007233569.tif 000008
【手続補正書】
【提出日】平成19年6月4日(2007.6.4)
【手続補正１】
【補正対象書類名】特許請求の範囲
【補正対象項目名】請求項１
【補正方法】変更
【補正の内容】
【請求項１】
監視エリアに設置された防犯センサからの異常信号を受信して、異常を生じた監視エリアを表示操作部に表示して、警報音を出力する防犯受信機において、
上記表示操作部は、上記監視エリア及び／又は上記防犯センサの種別に対応させて形成された複数のシンボルを有した表示部を備えており、
上記表示部は、外光を反射する鏡面をなし、該鏡面に、上記複数のシンボルのうち異常を生じた監視エリア及び／又は防犯センサの種別に対応したシンボルを浮き上がらせて表示させて、そのシンボル以外の部位は、鏡面となる構成にしていることを特徴とする防犯受信機。
【手続補正２】
【補正対象書類名】特許請求の範囲
【補正対象項目名】請求項２
【補正方法】変更
【補正の内容】
【請求項２】
請求項１において、
上記表示部は、ハーフミラー板の下方に、上記複数のシンボルを透光部として形成した表示プレートを設け、更にその下方に照明手段を設けて構成していることを特徴とする防犯受信機。
【手続補正３】
【補正対象書類名】明細書
【補正対象項目名】０００８
【補正方法】変更
【補正の内容】
【０００８】
前記目的を達成するために、請求項１に記載の防犯受信機は、監視エリアに設置された防犯センサからの異常信号を受信して、異常を生じた監視エリアを表示操作部に表示して、警報音を出力する防犯受信機において、上記表示操作部は、上記監視エリア及び／又は上記防犯センサの種別に対応させて形成された複数のシンボルを有した表示部を備えており、上記表示部は、外光を反射する鏡面をなし、該鏡面に、上記複数のシンボルのうち異常を生じた監視エリア及び／又は防犯センサの種別に対応したシンボルを浮き上がらせて表示させて、そのシンボル以外の部位は、鏡面となる構成にしていることを特徴とする。
【手続補正４】
【補正対象書類名】明細書
【補正対象項目名】０００９
【補正方法】変更
【補正の内容】
【０００９】
請求項２では、上記表示部は、ハーフミラー板の下方に、上記複数のシンボルを透光部として形成した表示プレートを設け、更にその下方に照明手段を設けて構成していることを特徴とする。